(57)【要約】      （修正有）【課題】筐体と蓋部との間に隙間を生じづらくし、かつメンテナンス性を向上させる電子機器を提供する。【解決手段】電子機器Ｓは、電気部品を収容する収容部を包囲する筐体１と、少なくとも一部が筐体と接することにより、筐体に形成された開口部を覆う蓋部２１と、筐体と蓋部との間に設けられており、かつ弾性を有する金属板により構成されるガスケットと、を有する。蓋部が筐体に装着されている状態における金属板の位置が、蓋部が筐体に装着されていない状態における金属板の位置よりも収容部に近い側に位置する。【選択図】図１
2020096036.tif 000002
【特許請求の範囲】
【請求項１】
電気部品を収容する収容部を包囲する筐体と、
少なくとも一部が前記筐体と接することにより、前記筐体に形成された開口部を覆う蓋部と、
前記筐体と前記蓋部との間に設けられており、かつ弾性を有する金属板により構成されるガスケットと、
を有し、
前記蓋部が前記筐体に装着されている状態における前記金属板の位置が、前記蓋部が前記筐体に装着されていない状態における前記金属板の位置よりも前記収容部に近い側に位置することを特徴とする電子機器。
【請求項２】
前記筐体は、前記筐体の上方に開口部が形成されており、
前記蓋部として、前記開口部を覆う天板を有し、
前記ガスケットは、前記筐体の前記開口部の縁に設けられていることを特徴とする、
請求項１に記載の電子機器。
【請求項３】
前記筐体は、
前記天板の上面と直交する方向の側面板と、
前記側面板の内側において、前記側面板と離間した位置で前記側面板と結合された固定板と、
を有し、
前記ガスケットは、前記金属板が前記固定板から前記側面板に向けて突出するように設けられていることを特徴とする、
請求項２に記載の電子機器。
【請求項４】
前記ガスケットは、前記金属板が、前記筐体において前記天板が装着される上方側から下方側に向けて延伸していることを特徴とする、
請求項３に記載の電子機器。
【請求項５】
前記天板は、
上面と、
前記上面の側端から下方に向かって延伸する取付板と、
を有し、
前記天板が前記開口部を覆うように前記筐体に装着された状態において、前記取付板が前記側面板と前記固定板との間で前記金属板と接触することを特徴とする、
請求項３又は４に記載の電子機器。
【請求項６】
前記筐体は、前記側面板と前記固定板との間に設けられたスペーサをさらに有し、
前記取付板には、前記スペーサと係合する凹部が形成されていることを特徴とする、
請求項５に記載の電子機器。
【発明の詳細な説明】
【技術分野】
【０００１】
本発明は、電子機器に関する。
【背景技術】
【０００２】
従来、電波漏洩対策が行われた電子機器が用いられている。特許文献１には、シールド・フレームと本体の側面キャビネット板の間の溝にガスケットを配置し、カバーのフランジの先端を当該ガスケットと接触させるようにして、本体に対してカバーが取付けられている電子機器筐体が開示されている。
【先行技術文献】
【特許文献】
【０００３】
【特許文献１】特開２００２−９４６０号公報
【発明の概要】
【発明が解決しようとする課題】
【０００４】
電子機器の筐体の内側に設けられている各ユニットを交換する際には、筐体に形成されている開口部を覆う蓋部を取り外す必要がある。このため、例えば筐体に形成されている開口部の縁と蓋部との間には隙間が生じてしまう場合がある。そこで、電子機器における電波漏洩対策として、例えば、シールドテープを貼ることで隙間を塞いだり、導電性接着剤を使用したり、電磁シールドで覆ったり、ねじの本数を増やして密閉度を増やしたりする方法が用いられている。しかし、これらの方法は蓋部の脱着に手間がかかってしまうという問題が生じていた。
【０００５】
そこで、本発明はこれらの点に鑑みてなされたものであり、筐体と蓋部との間に隙間を生じづらくし、かつメンテナンス性が向上する電子機器を提供することを目的とする。
【課題を解決するための手段】
【０００６】
本発明の第１の態様においては、電気部品を収容する収容部を包囲する筐体と、少なくとも一部が前記筐体と接することにより、前記筐体に形成された開口部を覆う蓋部と、前記筐体と前記蓋部との間に設けられており、かつ弾性を有する金属板により構成されるガスケットと、を有し、前記蓋部が前記筐体に装着されている状態における前記金属板の位置が、前記蓋部が前記筐体に装着されていない状態における前記金属板の位置よりも前記収容部に近い側に位置することを特徴とする電子機器を提供する。
【０００７】
また、前記筐体は、前記筐体の上方に開口部が形成されており、前記蓋部として、前記開口部を覆う天板を有し、前記ガスケットは、前記筐体の前記開口部の縁に設けられていてもよい。
【０００８】
また、前記筐体は、前記天板の上面と直交する方向の側面板と、前記側面板の内側において、前記側面板と離間した位置で前記側面板と結合された固定板と、を有し、前記ガスケットは、前記金属板が前記固定板から前記側面板に向けて突出するように設けられていてもよい。
【０００９】
また、前記ガスケットは、前記金属板が、前記筐体において前記天板が装着される上方側から下方側に向けて延伸していてもよい。
【００１０】
また、前記天板は、上面と、前記上面の側端から下方に向かって延伸する取付板と、を有し、前記天板が前記開口部を覆うように前記筐体に装着された状態において、前記取付板が前記側面板と前記固定板との間で前記金属板と接触していてもよい。
【００１１】
また、前記筐体は、前記側面板と前記固定板との間に設けられたスペーサをさらに有し、前記取付板には、前記スペーサと係合する凹部が形成されていてもよい。
【発明の効果】
【００１２】
本発明によれば、電子機器において、筐体と蓋部との間に隙間が生じづらく、かつメンテナンス性が向上するという効果を奏する。
【図面の簡単な説明】
【００１３】
【図１】本実施形態に係る電子機器の構造を示す。
【図２】本実施形態に係る電子機器の第１蓋部が取り外された状態を示す。
【図３】図２で示す電子機器の第１開口部付近の拡大図である。
【図４】図１のＸ−Ｘ線断面図である。
【図５】図４で示す電子機器における領域Ａの拡大図である。
【図６】第１ガスケットの構造を示す。
【図７】本実施形態に係る電子機器を後方から見た状態を示す。
【図８】図７で示す電子機器の第２蓋部が取り外された状態を示す。
【図９】図７及び図８で示す電子機器の第２蓋部及び第２開口部付近の断面の拡大図である。
【図１０】第２ガスケットの構造を示す。
【図１１】天板の構造を示す。
【図１２】本実施形態に係る電子機器の天板が取り外された状態を示す。
【図１３】図１２で示す筐体に天板が取付けられた状態のＹ−Ｙ線断面図である。
【図１４】図１３で示す電子機器における領域Ｂの拡大図である。
【図１５】第３ガスケットの構造を示す。
【図１６】図１２で示す筐体に天板が取付けられた状態の右取付板付近の状態を示す。
【図１７】図１２で示す筐体に天板が取付けられた状態のＺ−Ｚ線断面図である。
【図１８】図１７で示す電子機器Ｓにおける領域Ｃの拡大図である。
【図１９】第４ガスケットの構造を示す。
【図２０】本実施形態に係る電子機器を後方側から見た構造を示す。
【発明を実施するための形態】
【００１４】
＜本実施形態＞
［電子機器Ｓの概要］
図１は、本実施形態に係る電子機器Ｓの構造を示す図である。図２は、本実施形態に係る電子機器Ｓの第１蓋部２１が取り外された状態を示す図である。図３は、図２で示す電子機器Ｓの第１開口部１１１付近の拡大図である。図４は、図１のＸ−Ｘ線断面図である。図５は、図４で示す電子機器Ｓにおける領域Ａの拡大図である。図６は、第１ガスケット３１の構造を示す図である。
【００１５】
図７は、本実施形態に係る電子機器Ｓを後方から見た状態を示す図である。図８は、図７で示す電子機器Ｓの第２蓋部２２が取り外された状態を示す図である。図９は、図７及び図８で示す電子機器Ｓの第２蓋部２２及び第２開口部１２１付近の断面の拡大図である。図９（ａ）は、電子機器Ｓの後面板１２の第２開口部１２１付近の断面の拡大図である。図９（ｂ）は、電子機器Ｓの後面板１２の第２開口部１２１に第２蓋部２２及びファン５が取付けられた状態の第２開口部１２１付近の断面の拡大図である。図１０は、第２ガスケット３２の構造を示す図である。
【００１６】
図１１は、天板２３の構造を示す図である。図１２は、本実施形態に係る電子機器Ｓの天板２３が取り外された状態を示す図である。図１３は、図１２で示す筐体１に天板２３が取付けられた状態のＹ−Ｙ線断面図である。図１４は、図１３で示す電子機器Ｓにおける領域Ｂの拡大図である。図１５は、第３ガスケット３３の構造を示す図である。図１６は、図１２で示す筐体１に天板２３が取付けられた状態の右取付板２３２付近の状態を示す図である。
【００１７】
図１７は、図１２で示す筐体１に天板２３が取付けられた状態のＺ−Ｚ線断面図である。図１８は、図１７で示す電子機器Ｓにおける領域Ｃの拡大図である。図１９は、第４ガスケット３４の構造を示す図である。図２０は、本実施形態に係る電子機器Ｓを後方側から見た構造を示す図である。
【００１８】
電子機器Ｓは、例えば衛星基地局装置用のコンバータ機能を有する機器である。電子機器Ｓは、筐体１、蓋部、及びガスケットを有する。筐体１は、電気部品を収容する収容部を包囲する。
【００１９】
筐体１は、前面板１１、後面板１２、右側面板１３、左側面板１４、及び底板１５を有する。前面板１１は、筐体１の前面を形成する板である。図２及び図３に示すように、前面板１１には、第１開口部１１１が形成されている。第１開口部１１１は、例えば、筐体１の外側から筐体１の内側に向かって空気が流入する開口部である。図４及び図５に示すように、前面板１１の第１開口部１１１の奥側には、例えばエアフィルタ４が設けられている。エアフィルタ４は、空気を清浄にする機能を有する。前面板１１の第１開口部１１１付近の詳細は後述する。
【００２０】
後面板１２は、筐体１の後面を形成する板である。後面板１２は、前面板１１と平行である。図８及び図９に示すように、後面板１２には、第２開口部１２１が形成されている。第２開口部１２１は、例えば、筐体１の内側から筐体１の外側に向かって空気が流出する開口部である。図９（ｂ）に示すように、後面板１２の第２開口部１２１の奥側には、例えばファン５が設けられている。ファン５は空気を流す機能を有する。後面板１２の第２開口部１２１付近の詳細は後述する。
【００２１】
右側面板１３は、筐体１の右側面を形成する板である。右側面板１３は、前面板１１及び後面板１２と直交している。左側面板１４は、筐体１の左側面を形成する板である。左側面板１４は、前面板１１及び後面板１２と直交している。底板１５は、筐体１の底面を形成する板である。底板１５は、前面板１１、後面板１２、右側面板１３、及び左側面板１４と直交している。
【００２２】
図１２に示すように、筐体１の上方には、第３開口部１６が形成されている。第３開口部１６は、前面板１１の上縁、後面板１２の上縁、右側面板１３の上縁、及び左側面板１４の上縁で囲まれることで形成されている。第３開口部１６は、例えば、筐体１の収容部に収容されている電気部品を交換するための開口である。筐体１の第３開口部１６付近の詳細は後述する。
【００２３】
電子機器Ｓは、第１蓋部２１、第２蓋部２２、及び天板２３を有する。図１及び図２に示すように、第１蓋部２１は、少なくとも一部が筐体１と接することにより、前面板１１に形成されている第１開口部１１１を覆う。第１蓋部２１は、第１蓋部２１に形成されている複数の穴と、前面板１１に形成されている複数の穴に、ねじを挿入して締め付けることで、前面板１１に固定されている。
【００２４】
図７及び図８に示すように、第２蓋部２２は、少なくとも一部が筐体１と接することにより、後面板１２に形成されている第２開口部１２１を覆う。第２蓋部２２は、第２蓋部２２に形成されている複数の穴と、後面板１２に形成されている複数の穴に、ねじを挿入して締め付けることで、後面板１２に固定されている。
【００２５】
図１、図１１及び図１２に示すように、天板２３は、少なくとも一部が筐体１と接することにより、筐体１の上方に形成されている第３開口部１６を覆う。天板２３は、筐体１に取り付けられた状態では、例えば、前面板１１、後面板１２、右側面板１３、及び左側面板１４と直交している。天板２３の詳細は後述する。
【００２６】
ガスケットは、筐体１と蓋部との間に設けられており、かつ弾性を有する金属板により構成されている。ガスケットは、蓋部が筐体１に装着されている状態における金属板の位置が、蓋部が筐体１に装着されていない状態における金属板の位置よりも収容部に近い側に位置する。電子機器Ｓは、第１ガスケット３１、第２ガスケット３２、第３ガスケット３３、及び第４ガスケット３４を有する。
【００２７】
第１ガスケット３１は、前面板１１と第１蓋部２１との間に設けられている。図３に示すように、具体的には、第１ガスケット３１は、前面板１１の第１開口部１１１の周囲に設けられている。４つの第１ガスケット３１が前面板１１の第１開口部１１１の上下の縁、及び左右の縁に設けられている。第１ガスケット３１の詳細は後述する。
【００２８】
第２ガスケット３２は、後面板１２と第２蓋部２２との間に設けられている。第２ガスケット３２は、後面板１２の第２開口部１２１の周囲に設けられている。図８に示すように、具体的には、６つの第２ガスケット３２が後面板１２の第２開口部１２１の縁に設けられている。第２ガスケット３２の詳細は後述する。
【００２９】
第３ガスケット３３は、筐体１と天板２３との間に設けられている。第３ガスケット３３は、筐体１と天板２３との間における筐体１に設けられている。図１２に示すように、２つの第３ガスケット３３が筐体１の第３開口部１６の縁に設けられている。第３ガスケット３３の詳細は後述する。
【００３０】
第４ガスケット３４は、筐体１と天板２３との間に設けられている。第４ガスケット３４は、筐体１と天板２３との間における天板２３に設けられている。図１１に示すように、第４ガスケット３４は天板２３の前縁に設けられている。第４ガスケット３４の詳細は後述する。
【００３１】
［第１開口部１１１付近の構造］
前面板１１の第１開口部１１１付近の構造について説明する。
前述したように、前面板１１の第１開口部１１１の縁には、複数の第１ガスケット３１が設けられている。図６に示すように、第１ガスケット３１は、第１取付部３１１、及び第１接触部３１５を有する。第１取付部３１１は、第１ガスケット３１を前面板１１の第１開口部１１１の縁に取付けるための部位である。第１取付部３１１は、例えば断面が略コ字形状である。第１ガスケット３１は、後述する第１ガスケット取付板１１２を介して前面板１１に取り付けられている。
【００３２】
第１取付部３１１は、第１領域３１２、第２領域３１３、及び第３領域３１４を有する。第１領域３１２は、例えば平板形状である。第２領域３１３は、例えば平板形状であり、第１領域３１２の一端から第１領域３１２と直交して延伸している。第３領域３１４は、例えば平板形状であり、第２領域３１３の第１領域３１２と接続されている側の端部とは反対側の端部に、第２領域３１３と直交して延伸している。第１領域３１２と第３領域３１４は、第２領域３１３に対して同じ向きに延伸している。第１接触部３１５は、例えば平板形状であり、第３領域３１４の第２領域３１３と接続されている側とは反対側の端部から、第３領域３１４に対して所定の角度で傾斜して、第１領域３１２から離れる向きに延伸している。
【００３３】
図５に示すように、前面板１１には、第１ガスケット取付板１１２、及び土台１１４が設けられている。第１ガスケット取付板１１２は、例えば平板形状である。第１ガスケット取付板１１２には、開口部１１３が形成されている。第１ガスケット取付板１１２の開口部１１３の縁には、第１ガスケット３１が取り付けられている。
【００３４】
土台１１４は、前面板１１の第１開口部１１１の奥側に設けられている。土台１１４は、取付部１１５、及び凹部１１６を有する。取付部１１５は、土台１１４を前面板１１に取付けるための部位である。取付部１１５は、凹部１１６の縁に凹部１１６の底面と平行に、凹部１１６から離れる向きに延伸して設けられている。凹部１１６は、エアフィルタ４が挿入されている空間を形成している。凹部１１６は、取付部１１５の略中央に形成されている。凹部１１６の内側の空間には、エアフィルタ４が挿入されている。凹部１１６の底面には、複数の穴が形成されている。当該複数の穴は、筐体１の外側から筐体１の内側に向かって空気を流入させる穴である。
【００３５】
前面板１１の内側面には、締結部１１７が設けられている。締結部１１７は、例えば略円柱形状であり、前面板１１に前面板１１と直交した状態で設けられている。第１ガスケット取付板１１２、及び土台１１４は、締結部１１７が第１ガスケット取付板１１２に形成されている穴、及び土台１１４の取付部１１５に形成されている穴に挿入された状態で、挿入された締結部１１７にナットを締め付けることで、前面板１１の内側面に固定されている。
【００３６】
第１ガスケット３１は、第１ガスケット３１の第１取付部３１１の内側に、第１ガスケット取付板１１２が挿入された状態で、第１ガスケット取付板１１２に固定されている。第１蓋部２１が筐体１に装着されている状態における第１ガスケット３１の金属板の位置が、第１蓋部２１が筐体１に装着されていない状態における第１ガスケット３１の金属板の位置よりも収容部に近い側に位置する。具体的には、例えば、第１蓋部２１が前面板１１に装着されている状態における第１接触部３１５の先端は、第１接触部３１５の先端が、第１蓋部２１によって奥側に押されることで、第１蓋部２１が前面板１１に装着されていない状態における第１接触部３１５の先端よりも奥側に位置する。第１接触部３１５の先端は、第１接触部３１５の第３領域３１４と接続されている側とは反対側の端部である。
【００３７】
このように、前面板１１に第１蓋部２１が取付けられた状態において、第１接触部３１５の少なくとも一部の領域は、第１蓋部２１の内側面と接触している。そして、この状態では、第１接触部３１５は、例えば、第１蓋部２１によって奥側に押されることで変形した状態である。
【００３８】
このように、前面板１１の第１開口部１１１の縁には、弾性を有する第１ガスケット３１が設けられているので、第１蓋部２１を前面板１１の第１開口部１１１を覆うようにして前面板１１に押し付けた状態で、第１蓋部２１を前面板１１に対して固定することで、前面板１１の第１開口部１１１の縁と第１蓋部２１との間の隙間を小さくすることができる。
【００３９】
また、電子機器Ｓにおいては、前述したように、第１ガスケット３１は、前面板１１の内側面に設けられている第１ガスケット取付板１１２に固定されていることで、前面板１１の外側面よりも奥側に位置している。よって、電子機器Ｓは、第１蓋部２１が前面板１１の第１開口部１１１を覆うようにして前面板１１に取付けられた状態で、第１蓋部２１の外側面と前面板１１の外側面を同一面内に位置させることができる。この結果、電子機器Ｓは、前方からの見栄えが向上する。
【００４０】
［第２開口部１２１付近の構造］
次に、後面板１２の第２開口部１２１付近の構造について説明する。
前述したように、後面板１２の第２開口部１２１の縁には、複数の第２ガスケット３２が固定されている。図１０に示すように、第２ガスケット３２は、第１ガスケット３１と同様に、第２取付部３２１、及び第２接触部３２５を有する。
【００４１】
第２取付部３２１は、例えば断面が略コ字形状である。第２取付部３２１は、第１領域３２２、第２領域３２３、及び第３領域３２４を有する。第１領域３２２は、例えば平板形状である。第２領域３２３は、例えば平板形状であり、第１領域３２２の一端から第１領域３２２と直交して延伸している。第３領域３２４は、例えば平板形状であり、第２領域３２３の第１領域３２２と接続されている側の端部とは反対側の端部に、第２領域３２３と直交して延伸している。第１領域３２２と第３領域３２４は、第２領域３２３に対して同じ向きに延伸している。第２接触部３２５は、例えば平板形状であり、第３領域３２４の第２領域３２３と接続されている側とは反対側の端部から、第３領域３２４に対して所定の角度で傾斜して、第１領域３２２から離れる向きに延伸している。
【００４２】
後面板１２には、第２ガスケット取付板１２２が設けられている。第２ガスケット取付板１２２は、第２ガスケット３２を後面板１２に取付けるための部品である。第２ガスケット取付板１２２は、例えば平板形状である。第２ガスケット取付板１２２には、開口部１２３が形成されている。第２ガスケット取付板１２２の開口部１２３の縁には、第２ガスケット３２が取り付けられている。
【００４３】
後面板１２の内側面には、締結部１２４が設けられている。締結部１２４は、例えば円柱形状であり、後面板１２に後面板１２と直交した状態で設けられている。第２ガスケット取付板１２２は、第２ガスケット取付板１２２に形成されている穴に、後面板１２に設けられている締結部１２４が挿入された状態で、挿入された締結部１２４にナットを締め付けることで、後面板１２に固定されている。
【００４４】
第２ガスケット３２は、第２ガスケット３２の第２取付部３２１の内側に、第２ガスケット取付板１２２が挿入された状態で、第２ガスケット取付板１２２に固定されている。
【００４５】
第２蓋部２２が筐体１に装着されている状態における第２ガスケット３２の金属板の位置が、第２蓋部２２が筐体１に装着されていない状態における第２ガスケット３２の金属板の位置よりも収容部に近い側に位置する。具体的には、例えば、第２蓋部２２が後面板１２に装着されている状態における第２接触部３２５の先端は、第２接触部３２５の先端が、第２蓋部２２によって奥側に押されることで、第２蓋部２２が後面板１２に装着されていない状態における第２接触部３２５の先端よりも奥側に位置する。第２接触部３２５の先端は、第２接触部３２５の第３領域３２４と接続されている側とは反対側の端部である。
【００４６】
このように、後面板１２に第２蓋部２２が取付けられた状態において、第２接触部３２５の少なくとも一部の領域は、第２蓋部２２の内側面と接触している。そして、この状態では、第２接触部３２５は、例えば、第２蓋部２２によって奥側に押されることで変形した状態である。
【００４７】
このように、後面板１２の第２開口部１２１の縁には、弾性を有する第２ガスケット３２が設けられているので、第２蓋部２２を後面板１２の第２開口部１２１を覆うようにして後面板１２に押し付けた状態で、第２蓋部２２を後面板１２に対して固定することで、後面板１２の第２開口部１２１の縁と第２蓋部２２との間の隙間を小さくすることができる。
【００４８】
［第３開口部１６付近の構造］
次に、図１１から図１６までを参照しながら、筐体１の第３開口部１６付近の構造について説明する。
前述したように、筐体１の第３開口部１６の縁には、複数の第３ガスケット３３が設けられている。図１４に示すように、筐体１は、固定板１７、スペーサ１８、及び締結手段１９を有する。固定板１７は、第３ガスケット３３を筐体１の第３開口部１６の縁に固定するための部品である。
【００４９】
固定板１７として、右固定板１７Ｒ、及び左固定板１７Ｌが設けられている。固定板１７は、側面板１３、１４の内側において、側面板１３、１４と離間した位置で側面板１３、１４と結合されている。具体的には、右固定板１７Ｒは、右側面板１３の内側において、右側面板１３と離間した位置で、右側面板１３と結合されている。左固定板１７Ｌは、左側面板１４の内側において、左側面板１４と離間した位置で、左側面板１４と結合されている。
【００５０】
スペーサ１８は、側面板１３、１４と固定板１７との間に空間を形成するための部品である。スペーサ１８は、側面板１３、１４と固定板１７との間に設けられている。スペーサ１８は、例えば円筒形状である。スペーサ１８として、右スペーサ１８Ｒ、及び左スペーサ１８Ｌが設けられている。スペーサ１８の一端は、側面板１３、１４の内側面に接しており、スペーサ１８の他端は、固定板１７の外側面に接している。具体的には、右スペーサ１８Ｒの一端は、右側面板１３の内側面に接しており、右スペーサ１８Ｒの他端は、右固定板１７Ｒの外側面に接している。左スペーサ１８Ｌの一端は、左側面板１４の内側面に接しており、左スペーサ１８Ｌの他端は、左固定板１７Ｌの外側面に接している。
【００５１】
締結手段１９は、固定板１７、及びスペーサ１８を側面板１３、１４に固定するための部品である。締結手段１９は、締結部１９１、及び被締結部１９２を有する。締結部１９１は、例えばボルト又はねじである。被締結部１９２は、例えばナットである。
【００５２】
固定板１７及びスペーサ１８は、締結部１９１を、側面板１３、１４に形成されている穴、スペーサ１８に形成されている穴、及び固定板１７に形成されている穴に挿入し、挿入した締結部１９１に被締結部１９２を締め付けることで、側面板１３、１４に固定されている。
【００５３】
具体的には、右固定板１７Ｒ及び右スペーサ１８Ｒは、締結部１９１が、右側面板１３に形成されている穴、右スペーサ１８Ｒに形成されている穴、及び右固定板１７Ｒに形成されている穴に挿入され、挿入された締結部１９１が被締結部１９２により締め付けられることで、右側面板１３に固定されている。また、左固定板１７Ｌ及び左スペーサ１８Ｌは、締結部１９１が、左側面板１４に形成されている穴、左スペーサ１８Ｌに形成されている穴、及び左固定板１７Ｌに形成されている穴に挿入され、挿入された締結部１９１が被締結部１９２により締め付けられることで、左側面板１４に固定されている。
【００５４】
天板２３は、上面２３１、右取付板２３２、左取付板２３４、前取付板２３６、及び後取付板２３７を有する。上面２３１は、筐体１の高さ方向と直交して延在している面である。具体的には、上面２３１は、天板２３が筐体１に装着された状態では、例えば、前面板１１、後面板１２、右側面板１３、及び左側面板１４と直交している。
【００５５】
右取付板２３２は、上面２３１の右側端から下方に向かって延伸している。図１６に示すように、右取付板２３２には、下縁に前後方向において離間した状態で、複数の凹部２３３が形成されている。凹部２３３は、例えばＬ字形状である。凹部２３３は、第４領域２３８、及び第５領域２３９を有する。第４領域２３８は、右取付板２３２の下縁から上方に向かって延伸している領域である。第５領域２３９は、第４領域２３８の上端から後方に向かって延伸している領域である。
【００５６】
凹部２３３は、右スペーサ１８Ｒと係合する。具体的には、天板２３が筐体１に装着された状態では、右スペーサ１８Ｒが凹部２３３の第５領域２３９に位置していることで、凹部２３３は、右スペーサ１８Ｒと係合する。
【００５７】
左取付板２３４は、上面２３１の左側端から下方に向かって延伸している。図１１に示すように、左取付板２３４には、右取付板２３２と同様に、下縁に前後方向において離間した状態で、複数の凹部２３５が形成されている。凹部２３５は、電子機器Ｓの前後方向において、凹部２３３と同じ位置に位置している。凹部２３５は、凹部２３３と同様に、例えばＬ字形状である。凹部２３５は、凹部２３３と同様に、第４領域２３８、及び第５領域２３９を有する。第４領域２３８は、左取付板２３４の下縁から上方に向かって延伸している領域である。第５領域２３９は、第４領域２３８の上端から後方に向かって延伸している領域である。
【００５８】
凹部２３５は、左スペーサ１８Ｌと係合する。具体的には、天板２３が筐体１に装着された状態では、左スペーサ１８Ｌが凹部２３５の第５領域２３９に位置していることで、凹部２３５は、左スペーサ１８Ｌと係合する。
【００５９】
前取付板２３６は、上面２３１の前端に、上面２３１の前端から前方に延伸した状態で設けられている。前取付板２３６の上面は、上面２３１の上面よりも下方に位置する。図１８に示すように、前取付板２３６は、天板２３が筐体１に取り付けられた状態では、前面板１１の取付部１１８の下方に位置する。取付部１１８は、前面板１１の上端に後方に向かって延伸して設けられている部位である。取付部１１８は、例えば平板形状である。前取付板２３６には、第４ガスケット３４が設けられている。
【００６０】
第３ガスケット３３は、金属板が固定板１７から側面板１３、１４に向けて突出するように設けられている。具体的には、第３ガスケット３３は、金属板が、筐体１において天板２３が装着される上方側から下方側に向けて延伸している領域を有する。第３ガスケット３３として、第３右ガスケット３３Ｒ、及び第３左ガスケット３３Ｌが設けられている。第３右ガスケット３３Ｒは、金属板が右固定板１７Ｒから右側面板１３に向けて突出するように設けられている。第３左ガスケット３３Ｌは、金属板が左固定板１７Ｌから左側面板１４に向けて突出するように設けられている。
【００６１】
図１５に示すように、第３ガスケット３３は、第３取付部３３１、及び第３接触部３３５を有する。第３取付部３３１は、第３ガスケット３３を固定板１７に取付けるための部位である。第３取付部３３１は、例えば断面が略コ字形状である。第３取付部３３１は、第１領域３３２、第２領域３３３、及び第３領域３３４を有する。第１領域３３２は、例えば平板形状である。第２領域３３３は、例えば平板形状であり、第１領域３３２の一端から第１領域３３２と直交して延伸している。第３領域３３４は、例えば平板形状であり、第２領域３３３の第１領域３３２と接続されている側の端部とは反対側の端部に、第２領域３３３と直交して延伸している。第１領域３３２と第３領域３３４は、第２領域３３３に対して同じ向きに延伸している。
【００６２】
第３接触部３３５は、例えば円弧形状である。第３接触部３３５は、第３領域３３４の第２領域３３３と接続されている側とは反対側の端部から、第１領域３３２から離れる向きに曲線状に延伸している領域を有する。例えば、第３ガスケット３３が固定板１７に取付けられた状態において、天板２３が筐体１に装着されていない場合には、第３接触部３３５における固定板１７との間の距離が最も大きい領域が、側面板１３、１４の内側面と接触している。
【００６３】
天板２３が筐体１に装着されている状態における第３ガスケット３３の金属板の位置が、天板２３が筐体１に装着されていない状態における第３ガスケット３３の金属板の位置よりも収容部に近い側に位置する。具体的には、例えば、天板２３が筐体１に装着されている状態における第３接触部３３５の先端は、第３接触部３３５の先端が、天板２３の取付板２３２、２３４によって収容部に近い側に押されることで、天板２３が筐体１に装着されていない状態における第３接触部３３５の先端よりも収容部に近い側に位置する。第３接触部３３５の先端は、第３接触部３３５の第３領域３３４と接続されている側とは反対側の端部である。
【００６４】
このように、筐体１に天板２３が取付けられた状態において、第３接触部３３５の少なくとも一部の領域は、天板２３の取付板２３２、２３４の内側面と接触している。そして、この状態では、第３接触部３３５は、例えば、天板２３の取付板２３２、２３４によって収容部に近い側に押されることで変形した状態である。
【００６５】
天板２３が第３開口部１６を覆うように筐体１に装着された状態において、取付板２３２、２３４が側面板１３、１４と固定板１７との間で金属板と接触する。具体的には、天板２３が第３開口部１６を覆うように筐体１に装着された状態において、右取付板２３２が右側面板１３と右固定板１７Ｒとの間で第３ガスケット３３Ｒの第３接触部３３５と接触する。また、天板２３が第３開口部１６を覆うように筐体１に装着された状態において、左取付板２３４が左側面板１４と左固定板１７Ｌとの間で第３ガスケット３３Ｌの第３接触部３３５と接触する。
【００６６】
図１９に示すように、第４ガスケット３４は、第４取付部３４１、及び第４接触部３４５を有する。第４取付部３４１は、第４ガスケット３４を前取付板２３６に取付けるための部位である。第４取付部３４１は、例えば断面が略コ字形状である。第４取付部３４１は、第１領域３４２、第２領域３４３、及び第３領域３４４を有する。
【００６７】
第１領域３４２は、例えば平板形状である。第２領域３４３は、例えば平板形状であり、第１領域３４２の一端から第１領域３４２と直交して延伸している。第３領域３４４は、例えば平板形状であり、第２領域３４３の第１領域３４２と接続されている側の端部とは反対側の端部に、第２領域３４３と直交して延伸している。第１領域３４２と第３領域３４４は、第２領域３４３に対して同じ向きに延伸している。第４接触部３４５は、例えば平板形状であり、第３領域３４４の第２領域３４３と接続されている側とは反対側の端部から、第３領域３４４に対して所定の角度で傾斜して、第１領域３４２から離れる向きに延伸している。
【００６８】
天板２３が筐体１に装着されている状態における第４ガスケット３４の金属板の位置が、天板２３が筐体１に装着されていない状態における第４ガスケット３４の金属板の位置よりも収容部に近い側に位置する。具体的には、例えば、天板２３が筐体１に装着されている状態における第４接触部３４５の先端は、第４接触部３４５の先端が、前面板１１の取付部１１８によって収容部に近い側に押されることで、天板２３が筐体１に装着されていない状態における第４接触部３４５の先端よりも収容部に近い側に位置する。第４接触部３４５の先端は、第４接触部３４５の第３領域３４４と接続されている側とは反対側の端部である。
【００６９】
このように、筐体１に天板２３が取付けられた状態において、第４接触部３４５の少なくとも一部の領域は、前面板１１の取付部１１８の内側面と接触している。そして、この状態では、第４接触部３４５は、例えば、前面板１１の取付部１１８によって収容部に近い側に押されることで変形した状態である。
【００７０】
このように、天板２３の前取付板２３６には、弾性を有する第４ガスケット３４が設けられているので、天板２３を筐体１の第３開口部１６を覆うようにして筐体１に取り付けた状態において、筐体１の第３開口部１６の前縁と天板２３の前縁との間の隙間を小さくすることができる。
【００７１】
図２０に示すように、後取付板２３７は、上面２３１の後縁から下方に向かって延伸している。後取付板２３７には、長手方向において複数の穴が形成されている。当該複数の穴は、例えばねじが挿入される穴である。天板２３が、筐体１に取付けられている状態では、天板２３は後取付板２３７に形成されている穴と、筐体１の後面板１２に形成されている穴に、ねじを挿入して締め付けることで、筐体１に固定されている。
【００７２】
天板２３を筐体１から取外す際には、後取付板２３７に形成されている穴と、筐体１の後面板１２に形成されている穴に挿入されて締め付けられている複数のねじを取り外す。そして、天板２３を筐体１に対して後方に移動させることで、凹部２３３の第４領域２３８に右スペーサ１８Ｒを位置させると共に凹部２３５の第４領域２３８に左スペーサ１８Ｌを位置させる。そして、天板２３を筐体１に対して上方に移動させることで、右取付板２３２及び左取付板２３４を、側面板１３、１４と第３ガスケット３３の間から取り外す。このようにして、天板２３は、筐体１から取り外される。
【００７３】
また、天板２３を筐体１に取り付ける際には、天板２３を筐体１に対して上方から下方に向かって移動させることで、右スペーサ１８Ｒを凹部２３３の第４領域２３８に位置させると共に、左スペーサ１８Ｌを凹部２３５の第４領域２３８に位置させる。このとき、右取付板２３２及び左取付板２３４は、側面板１３、１４と第３ガスケット３３の間に挿入される。
【００７４】
そして、天板２３を筐体１に対して前方に移動させることで、右スペーサ１８Ｒを凹部２３３の第５領域２３９に位置させると共に、左スペーサ１８Ｌを凹部２３５の第５領域２３９に位置させる。この結果、右スペーサ１８Ｒが凹部２３３と係合すると共に左スペーサ１８Ｌが凹部２３５と係合することで、天板２３が筐体１に対して上方に移動することが規制される。このとき、天板２３の前取付板２３６は、第４ガスケット３４の第４接触部３４５が前面板１１の取付部１１８の内側面に接触した状態で、取付部１１８の下方に位置している。そして、後取付板２３７に形成されている複数の穴と、後面板１２に形成されている複数の穴に、それぞれねじを挿入して締め付けることで、天板２３を筐体１に固定する。このようにして、天板２３は、筐体１に取り付けられる。
【００７５】
［本実施形態に係る電子機器Ｓによる効果］
本実施形態に係る電子機器Ｓは、電気部品を収容する収容部を包囲する筐体１と、少なくとも一部が筐体１と接することにより、筐体１に形成された開口部を覆う蓋部と、筐体１と蓋部との間に設けられており、かつ弾性を有する金属板により構成されるガスケットと、を有する。そして、蓋部が筐体１に装着されている状態における金属板の位置が、蓋部が筐体１に装着されていない状態における金属板の位置よりも収容部に近い側に位置する。
【００７６】
本実施形態に係る電子機器Ｓにおいては、このように、筐体１と蓋部との間に設けられており、かつ弾性を有する金属板により構成されるガスケットを有し、蓋部が筐体１に装着されている状態における金属板の位置が、蓋部が筐体１に装着されていない状態における金属板の位置よりも収容部に近い側に位置する。よって、電子機器Ｓにおいては、弾性を有するガスケットが設けられていることで、筐体１と蓋部との間に隙間を生じづらくすることができる。
【００７７】
また、電子機器Ｓにおいては、弾性を有するガスケットが設けられていることで、筐体１と蓋部との間の隙間を小さくすることが可能な構造であるため、筐体１に対する蓋部の脱着が容易である。よって、電子機器Ｓにおいては、筐体１に対する蓋部の脱着が容易であることで、例えば、筐体１の収容部に収容されている電気部品の交換が容易になる。この結果、電子機器Ｓにおいては、例えば電子機器Ｓの収容部に収容されている電気部品から生じる電波が電子機器Ｓの筐体１の内側から外側に向かって漏洩する量を減少させることができると共に、メンテナンス性が向上する。
【００７８】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００７９】
Ｓ・・・電子機器
１・・・筐体
１１・・・前面板
１１１・・・第１開口部
１１２・・・第１ガスケット取付板
１１３・・・開口部
１１４・・・土台
１１５・・・取付部
１１６・・・凹部
１１７・・・締結部
１１８・・・取付部
１２・・・後面板
１２１・・・第２開口部
１２２・・・第２ガスケット取付板
１２３・・・開口部
１２４・・・締結部
１３・・・右側面板
１４・・・左側面板
１５・・・底板
１６・・・第３開口部
１７、１７Ｒ、１７Ｌ・・・固定板
１８、１８Ｒ、１８Ｌ・・・スペーサ
１９・・・締結手段
１９１・・・締結部
１９２・・・被締結部
２１・・・第１蓋部
２２・・・第２蓋部
２３・・・天板
２３１・・・上面
２３２・・・右取付板
２３３・・・凹部
２３４・・・左取付板
２３５・・・凹部
２３６・・・前取付板
２３７・・・後取付板
２３８・・・第４領域
２３９・・・第５領域
３１・・・第１ガスケット
３１１・・・第１取付部
３１２・・・第１領域
３１３・・・第２領域
３１４・・・第３領域
３１５・・・第１接触部
３２・・・第２ガスケット
３２１・・・第２取付部
３２２・・・第１領域
３２３・・・第２領域
３２４・・・第３領域
３２５・・・第２接触部
３３、３３Ｒ、３３Ｌ・・・第３ガスケット
３３１・・・第３取付部
３３２・・・第１領域
３３３・・・第２領域
３３４・・・第３領域
３３５・・・第３接触部
３４・・・第４ガスケット
３４１・・・第４取付部
３４２・・・第１領域
３４３・・・第２領域
３４４・・・第３領域
３４５・・・第４接触部
４・・・エアフィルタ
５・・・ファン
【図１】
2020096036.tif 000003
【図２】
2020096036.tif 000004
【図３】
2020096036.tif 000005
【図４】
2020096036.tif 000006
【図５】
2020096036.tif 000007
【図６】
2020096036.tif 000008
【図７】
2020096036.tif 000009
【図８】
2020096036.tif 000010
【図９】
2020096036.tif 000011
【図１０】
2020096036.tif 000012
【図１１】
2020096036.tif 000013
【図１２】
2020096036.tif 000014
【図１３】
2020096036.tif 000015
【図１４】
2020096036.tif 000016
【図１５】
2020096036.tif 000017
【図１６】
2020096036.tif 000018
【図１７】
2020096036.tif 000019
【図１８】
2020096036.tif 000020
【図１９】
2020096036.tif 000021
【図２０】
2020096036.tif 000022